(57)【特許請求の範囲】
【請求項１】
室外と室内とを連通するように壁部に埋設された風洞パイプに装着される筒状部と、この筒状部の室内側の外周に半径方向に張り出した略方形状のフランジ部とを設けた本体フレームと、この本体フレームの前記筒状部内にモーター支持部を介して連結する電動機と、この電動機の室外側に軸支されるファンと、前記本体フレームの室内側に突出した方形枠状のフィルター収納部と、このフィルター収納部に収納される板状フィルターと、この板状フィルターを覆う形状で前記本体フレームに設けられる前面パネルとを備え、前記モーター支持部の一つを略鉛直下方向に設け、前記筒状部との接合部に前記筒状部の室外側から浸入した雨水等を受け止め、前記モーター支持部と同一部位に水止め壁を設け、前記フィルター収納部の奥部の位置を前記フランジ部面より前記筒状部側に設け、前記板状フィルターの室外側面を前記フランジ面より壁部側寄りに配設したことを特徴とする給気型換気装置。
【請求項２】
ファンの軸心方向の高さを、ファンの外径に対し３０〜４５％の範囲に形成したことを特徴とする請求項１記載の給気型換気装置。
【請求項３】
モーター支持部を、送風気流の流入角と略平行に形成したことを特徴とする請求項１記載の給気型換気装置。
【請求項４】
筒状部の室外側に、オリフィスを設けたことを特徴とする請求項１記載の給気型換気装置。
【請求項５】
筒状部を、ファンを覆い隠す長さに形成したことを特徴とする請求項１記載の給気型換気装置。
【請求項６】
筒状部と板状フィルターの間に、方形状の隙間を設けたことを特徴とする請求項１、４、５のいずれかに記載の給気型換気装置。
【発明の詳細な説明】
【技術分野】
【０００１】
本発明は、室内に給気される外気中に含まれる塵埃を除去できるフィルターを設けた給気型換気装置に関する。
【背景技術】
【０００２】
従来、この種の給気型換気装置の一例として、フィルターを設けた給気型換気装置が知られている（例えば、特許文献１参照）。
【０００３】
以下、その給気型換気装置について図６および図７を参照しながら説明する。
【０００４】
図に示すように、壁部１０１に設けた換気口１０２に装着される筒状部１０３の室内側に向け突出する方形のフレーム部１０４を設け、筒状部１０３内にファン１０５が位置するようにモータ１０６をフレーム部１０４に取り付けたファンモータ１０７を内蔵した本体１０８を設け、本体１０８のフレーム部１０４の外周に装着される枠状で前面はパネル１０９により閉鎖され、左右の側面１１０または上面１１１に通気口１１２を設けたグリル１１３を設け、フィルター部材１１４をジグザグ状に形成したフィルター１１５を環状に形成し、略方形状にグリル１１３内に配設して構成している。
【０００５】
また、他の例としての給気型換気装置も知られている（例えば、特許文献２参照）。
【０００６】
以下、その給気型換気装置について図８を参照しながら説明する。
【０００７】
図に示すように、換気装置１１６は、パネル１１７に端が取り付けられた連結アーム１１８と、連結アーム１１８のパネル１１７へ取り付けられている反対側に取り付けられているフィルター枠１１９と、フィルター枠１１９内に収納されるプリーツ状のフィルター１２０とを有し構成している。
【特許文献１】特開２００４−２９３８６４号公報（［００２１］〜［００２２］図１、図４）
【特許文献２】特開２００３−２７９０９３号公報（［００２９］図６）
【発明の開示】
【発明が解決しようとする課題】
【０００８】
このような従来の前者の給気型換気装置では、室内側への突出を薄くするとともに壁部１０１内寸法を小さくするために、フィルター１１５を環状に形成しているので、フィルター１１５のメンテナンス時にフィルター１１５が変形し易く、再設置時に空気漏れの無いように設置することが困難であるという課題があり、空気漏れの無いように設置ができ、メンテナンス性が良くなるようにすることが要求されている。
【０００９】
また、後者の給気型換気装置では、室内側への突出を少なくするために、プリーツ状のフィルター１２０の厚みを薄くする必要があるが、その場合、フィルター１２０の圧損が大きくなってしまい、騒音が高くなるとともに、低風量の給気型換気装置しか得られないという課題があり、騒音が小さく大風量の換気装置が得られるようにすることが要求されている。
【００１０】
本発明は、このような従来の課題を解決するものであり、メンテナンス性が良く、フィルターの圧損が小さく送風性能の良好な給気型換気装置を提供することを目的としている。
【課題を解決するための手段】
【００１１】
本発明の給気型換気装は上記目的を達成するために、室外と室内を連通するように壁部に埋設された風洞パイプに装着される筒状部と、この筒状部の室内側の外周に半径方向に張り出した略方形状のフランジ部とを設けた本体フレームと、この本体フレームの前記筒状部内にモーター支持部を介して連結する電動機と、この電動機の室外側に軸支されたファンと、前記本体フレームの室内側に突出した方形枠状のフィルター収納部と、このフィルター収納部に収納される板状フィルターと、この板状フィルターを覆う形状で前記本体フレームに設けられる前面パネルとを備え、前記モーター支持部の一つを略鉛直下方向に設け、前記筒状部との接合部に前記筒状部の室外側から浸入した雨水等を受け止め、前記モーター支持部と同一部位に水止め壁を設け、前記フィルター収納部の奥部の位置を前記フランジ部面より前記筒状部側に設け、前記板状フィルターの室外側面を前記フランジ面より壁部側寄りに配設したものである。
【００１２】
この手段により、メンテナンス性が良く、室内側突出量の小さいデザイン性に優れるとともに、板状フィルターがプリーツ状の場合はフィルター圧損が小さく送風性能の良好な給気型換気装置が得られる。
【００１３】
また、他の手段は、ファンの軸心方向の高さを、ファンの外径に対し、３０〜４５％の範囲に形成したものである。
【００１４】
この手段により、薄壁に対応できる給気型換気装置が得られる。
【００１５】
また、他の手段は、モーター支持部を、送風気流の流入角と略平行に形成したものである。
【００１６】
この手段により、圧損の大きいフィルターに対応できるとともに、室内側突出量の小さい給気型換気装置が得られる。
【００１７】
また、他の手段は、筒状部の室外側に、オリフィスを設けたものである。
【００１８】
この手段により、圧損の大きいフィルターに対応できるとともに、室内側突出量の小さい給気型換気装置が得られる。
【００１９】
また、他の手段は、筒状部を、ファンを覆い隠す長さに形成したものである。
【００２０】
この手段により、運搬・施工時におけるファンの破損を防ぐことができる。
【００２３】
また、他の手段は、筒状部と板状フィルター間に、方形状の隙間を設けたものである。
【００２４】
この手段により、フィルター圧損が小さく、送風性能の良好な給気型換気装置が得られる。
【発明の効果】
【００２５】
本発明によれば、風路抵抗を最小限とし、送風性能を良好に保つことができつつ、メンテナンス性が良く、室内側突出量の小さいデザイン性に優れるとともにフィルター圧損が小さく送風性能の良好という効果のある給気型換気装置を提供できる。
【００２６】
また、薄壁に対応できるという効果のある給気型換気装置を提供できる。
【００２７】
また、圧損の大きいフィルターに対応できるとともに、室内側突出量の小さいという効果のある給気型換気装置を提供できる。
【００２８】
また、運搬・施工時におけるファンの破損を防ぐことができるという効果のある給気型換気装置を提供できる。
【発明を実施するための最良の形態】
【００３０】
本発明の請求項１記載の給気型換気装置は、室外と室内を連通するように壁部に埋設された風洞パイプに装着される筒状部と、この筒状部の室内側の外周に半径方向に張り出した略方形状のフランジ部とを設けた本体フレームと、この本体フレームの前記筒状部内にモーター支持部を介して連結する電動機と、この電動機の室外側に軸支されるファンと、前記本体フレームの室内側に突出した方形枠状のフィルター収納部と、このフィルター収納部に収納される板状フィルターと、この板状フィルターを覆う形状で前記本体フレームに設けられる前面パネルとを備え、前記モーター支持部の一つを略鉛直下方向に設け、前記筒状部との接合部に前記筒状部の室外側から浸入した雨水等を受け止め、前記モーター支持部と同一部位に水止め壁を設け、前記フィルター収納部の奥部の位置を前記フランジ部面より前記筒状部側に設け、前記板状フィルターの室外側面を前記フランジ面より壁部側寄りに配設したものであり、筒状部の室外側から侵入した雨水等は水止め壁により受け止められ室内への雨水の侵入が防止されるとともに、モーター支持部の一つが鉛直下方向に設けられ筒状部との接合部に水止め壁が設けられていることにより、モーター支持部と水止め壁が同一部位に設けられ、モーター支持部と水止め壁を別々の位置に設けた場合と比較して、風路抵抗を最小限におさえることができ、送風性能を良好に保つことができつつ、壁部の室内側壁面に取り付けられているフランジ部の面より筒状部側寄りにフィルター収納部の奥部を位置させて設けていることにより、フィルター収納部に収納される板状フィルターはフランジ部の面より室内側の壁部寄りに設けられることとなり、壁部側寄りに設けられる寸法だけ、フィルター収納部の室内側への突出量が少なくなり、全体として室内側への突出量の小さいデザイン性に優れた給気型換気装置が得られるとともに、フィルター収納部に収納される板状フィルターの厚みを厚くすることが可能となり、板状フィルターがプリーツ状の場合はフィルター圧損が小さく、騒音の小さい大風量で送風性能の良好になるという作用を有する。
【００３１】
また、請求項２記載の給気型換気装置は、ファンの軸心方向の高さを、ファンの外径に対し３０〜４５％の範囲に形成したものであり、ファンの軸心方向の寸法を小さくすることにより、筒状部の長さも小さくすることができ、薄壁に対応できる施工性を有するという作用を有する。
【００３２】
また、請求項３記載の給気型換気装置は、モーター支持部を送風気流の流入角と略平行に形成したものであり、ファンにより発生する送風気流が、モーター支持部と略平行に流れることとなり、静圧をあげることが可能となって、圧損の高い板状フィルターに対応でき、前面パネルとの間に形成される風路を薄くすることができ、そのことにより、室内側への突出量を小さくすることができるという作用を有する。
【００３３】
また、請求項４記載の給気型換気装置は、筒状部の室外側に、オリフィスを設けたものであり、ファンの給気口部分に設けたオリフィスにより、静圧をあげることが可能となって圧損の高い板状フィルターに対応でき、そのことにより、室内側への突出量を小さくすることができるという作用を有する。
【００３４】
また、請求項５記載の給気型換気装置は、筒状部を、ファンを覆い隠す長さに形成したものであり、ファンが筒状部で覆い隠されることにより、換気装置の運搬・施工時における取扱い時において、ファンに物体等が当たり、ファンが破損するということが防止されるという作用を有する。
【００３６】
また、請求項６記載の給気型換気装置は、筒状部と板状フィルター間に、方形状の隙間を設けたものであり、円形の筒状部から給気された外気は、板状フィルターの上流側に形成されている方形状の隙間に流入し、隙間の方形状の面全体に満遍なく流れ、板状フィルターの上流側の全面から板状フィルター内に給気されることとなり、板状フィルターの角部も余すことなく使うことができるため、板状フィルターの圧損が小さく、送風性能が良好になるとともに板状フィルターの集塵能力が向上するという作用を有する。
【００３７】
以下、本発明の実施の形態について図面を参照しながら説明する。
【００３８】
（実施の形態１）
図１に示すように、室外１と室内２とを連通するように壁部３に埋設された風洞パイプ４に装着される筒状部５と、この筒状部５の室内２側の外周に半径方向に張り出した略方形状のフランジ部６と、フランジ部６の外周の背面側に設けた立ち上がり部７とを設けた本体フレーム８と、この本体フレーム８の筒状部５内に設けられる電動機９と、電動機９の室外側に軸支されるファン１０と、本体フレーム８の室内側に突出した方形枠状のフィルター収納部１１と、フィルター収納部１１に収納される板状フィルター１２と、板状フィルター１２の前面を覆う形状で、本体フレーム８に設けたパネルベース部１３にリンク１４を介して前方に移動し開放される前面パネル１５とを備え、フィルター収納部１１の奥部の位置１６をフランジ部６の面より筒状部５側に設け、板状フィルター１２を壁部３側寄りに配設し、ファン１０の軸心方向の高さ寸法（Ａ）をファン１０の外径寸法（Ｂ）に対し、３０〜４５％の範囲に形成し構成する。
【００３９】
上記構成において、運転時には、前面パネル１５がリンク１４により前方の上方側に移動し、風路１７を形成するとともに、電動機９によりファン１０が駆動され、室外１の空気が風洞パイプ４内を通りファン１０に給気され、筒状部５内を通り、板状フィルター１２を通過する間に外気中に含まれる塵埃が板状フィルター１２に吸着され、前面パネル１５との間の風路１７を通り、浄化された外気が室内２に給気される。
【００４０】
そして、フィルター収納部１１の奥部の位置１６をフランジ部６の面より筒状部５側に設け、板状フィルター１２を壁部３側寄りに配設したことにより、フィルター収納部１１に収納される板状フィルター１２は、フランジ部６の面より室内２側の壁部３寄りに設けられることとなり、壁部３側寄りに設けられる寸法だけフィルター収納部１１の室内２側への突出量がなくなり、全体として室内２側への突出量の小さいデザイン性に優れた給気型換気装置が得られるとともに、フィルター収納部１１に収納される板状フィルター１２の厚みを厚くすることが可能となり、板状フィルター１２がプリーツ状の場合はフィルター圧損が小さく、騒音の小さい大風量で送風性能が良好になることとなる。
【００４１】
また、ファン１０の軸心方向の高さ寸法（Ａ）をファン１０の外径寸法（Ｂ）に対し３０〜４５％の範囲に形成することにより、ファン１０の軸心方向の高さ寸法（Ａ）を小さくすることにより、筒状部５の長さも小さくすることができ、薄壁に対応できる施工性を有することとなる。
【００４２】
（実施の形態２）
図２に示すように、筒状部５Ａと電動機９Ａを連結するモーター支持部１８を送風気流の流入角と略平行に形成し構成する。
【００４３】
上記構成において、ファン１０により発生する送風気流がモーター支持部１８と略平行に流れることとなり、静圧を上げることが可能となって圧損の高い板状フィルター１２に対応でき、前面パネル（図示せず）との間に形成される風路を薄くすることができ、そのことにより、室内側への突出量を小さくすることができることとなる。
【００４４】
（実施の形態３）
図３に示すように、筒状部５Ｂの室外側にオリフィス１９を設け構成する。
【００４５】
上記構成において、ファン１０の給気口部分に設けたオリフィス１９により、静圧を上げることが可能となって、圧損の高い薄型の板状フィルター１２に対応でき、そのことによって、室内２側への突出量を小さくすることができる。
【００４６】
（実施の形態４）
図４および図５に示すように、筒状部５Ｃとを、ファン１０Ａを隠す長さに形成し、筒状部５Ｃに電動機９Ｂを連結するモーター支持部１８Ａの一つを略鉛直下方向に設け、筒状部５Ｃとの接合部２０に水止め壁２１を設け、筒状部５Ｃと板状フィルター１２Ａ間に方形状の隙間２２を設け構成する。
【００４７】
上記構成において、筒状部５Ｃをファン１０Ａを覆い隠す長さに形成しているので、ファン１０Ａが筒状部５Ｃで覆い隠されることにより、換気装置の運搬や施工時においての取扱い時に、ファン１０Ａに他の物体等が当たりファン１０Ａが破損するのが防止できることとなる。
【００４８】
また、筒状部５Ｃと電動機９Ｂを連結するモーター支持部１８Ａの一つを略鉛直下方向に設け、筒状部５Ｃとの接合部２０に水止め壁２１を設けたので、筒状部５Ｃの室外１側から浸入した雨水等は水止め壁２１により受け止められ、室内２への雨水の浸入が防止されるとともに、モーター支持部１８Ａと水止め壁２１が同一部位に設けられ、モーター支持部１８Ａと水止め壁２１を別々の位置に設けた場合と比較して風路抵抗を最少限におさえることができ、送風性能を良好に保つことができることとなる。
【００４９】
また、筒状部５Ｃと板状フィルター１２Ａ間に方形状の隙間２２を設けたので、円形の筒状部５Ｃから給気された外気は、板状フィルター１２Ａの上流側に形成されている方形状の隙間２２に流入し、隙間２２の方形状の面全体に満遍なく流れ、板状フィルター１２Ａの上流側の全面から板状フィルター１２Ａ内に給気されることとなり、板状のフィルター１２Ａの角部も余すことなく使うことができるため、板状フィルター１２Ａの圧損が小さく送風性能が良好になるとともに、板状フィルター１２Ａの集塵能力も向上することができることとなる。
【産業上の利用可能性】
【００５０】
本発明にかかる給気型換気装置はメンテナンス性が良く、室内側突出量の小さいデザイン性に優れるとともに、フィルター圧損が小さく送風性能の良好な効果を奏し、排気型の換気装置の分野に適用できる。
【図面の簡単な説明】
【００５１】
【図１】本発明の実施の形態１の給気型換気装置の側面断面図
【図２】本発明の実施の形態２の給気型換気装置の側面断面図
【図３】本発明の実施の形態３の給気型換気装置の側面断面図
【図４】本発明の実施の形態４の給気型換気装置の側面断面図
【図５】同給気型換気装置の背面図
【図６】従来の給気型換気装置の断面図
【図７】同給気型換気装置のフィルター装着時のグリルの背面図
【図８】同他の例の給気型換気装置の側面断面図
【符号の説明】
【００５２】
１      室外
２      室内
３      壁部
４      風洞パイプ
５      筒状部
５Ａ    筒状部
５Ｂ    筒状部
５Ｃ    筒状部
６      フランジ部
８      本体フレーム
９      電動機
９Ａ    電動機
９Ｂ    電動機
１０    ファン
１０Ａ  ファン
１１    フィルター収納部
１２    板状フィルター
１２Ａ  板状フィルター
１５    前面パネル
１６    奥部の位置
１８    モーター支持部
１８Ａ  モーター支持部
１９    オリフィス
２０    接合部
２１    水止め壁
２２    隙間
【図１】
0004760480.tif 000002
【図２】
0004760480.tif 000003
【図３】
0004760480.tif 000004
【図４】
0004760480.tif 000005
【図５】
0004760480.tif 000006
【図６】
0004760480.tif 000007
【図７】
0004760480.tif 000008
【図８】
0004760480.tif 000009